(57)【要約】【課題】  酒毒を中和して美味しい酒を飲むことができるナマコ酒装置の提供。【解決手段】  針金を円形に曲折すると共に、その端部を中心側に折り曲げて基部１を形成し、その先端部を基部１に対して直角に立ち上げる。そして支持部２を形成し、支持部２にナマコ片３とカボチャの種５とスイカの種６とを支持させる。【効果】  コップ４の酒７内にナマコ片３とカボチャの種５とスイカの種６とを沈めて支持させ、それらの栄養成分を酒７に効果的に滲み出させると共に、視覚的に美味しい酒を提供できる。【選択図】        図２
0003105690.tif 000002
【実用新案登録請求の範囲】
【請求項１】
コップ内に着座される基部(1) と、その基部(1) から線材が立ち上げられる支持部(2) とを有し、
その支持部(2) に少なくとも、乾燥したナマコ片(3) および植物の種が支持されて、酒の注がれるコップ(4) に収納されるナマコ酒装置。
【請求項２】
請求項１において、
前記基部(1) は、金属製線材がのの字状に曲折されてなり、
その基部(1) の中心から前記支持部(2) が一体に立ち上げられ、その支持部(2) の線材がナマコ片(3) の孔(8) および前記種に開けた孔に挿通されて、それらが支持されてなるナマコ酒装置。
【請求項３】
請求項１または請求項２において、
前記支持部(2) に乾燥したカボチャの種(5) とスイカの種(6) とひまわりの種のうち、いずれか一以上が支持されるナマコ酒装置。
【考案の詳細な説明】
【技術分野】
【０００１】
本考案は、乾燥したナマコ片および植物の種を主として燗酒に入れるナマコ酒装置に関する。
【背景技術】
【０００２】
乾燥したふぐひれを焼いて燗酒に入れるひれ酒が広く親しまれている。乾燥して焼いたふぐひれは、その香ばしい香りが酒に滲み出し、酒をより美味しくさせるものである。
【０００３】
次に、ナマコは骨片に含まれるコンドロイチンが内臓や皮膚の老化を防止することが知られている。また、ナマコの身はアルカリ性のため消化も良く昔から内臓の働きを強化し、酒毒を中和することが良く知られており、酒の肴に用いられてきた。
食用としては、真ナマコ，沖ナマコ，金ナマコ，赤ナマコ，青ナマコ，その他が知られている。
さらにナマコの薬効として、風邪，解熱，胃薬，利尿，強壮，凍傷，腫れ止め等の効果が知られている。これは、薬効の知られている朝鮮人参に匹敵する海の人参といわれている。
【０００４】
次に、カボチャの種にはカロチン（ビタミンＡ），ビタミンＢ1 ，ビタミンＢ2 ，ナイアシン等の他にミネラル類，亜鉛，鉄分が豊富に含まれている。そしてカボチャの種は、動脈硬化，糖尿病，脳卒中，心臓疾患，コレステロール，リュウマチ，神経痛，更年期障害等を和らげる薬効があることが知られている。また、カボチャの種の乾燥したものは香ばしくコクのあるものとなる。
【０００５】
次に、スイカの種にはリノール酸やタンパク質が非常に多く、ビタミンＢ群やビタミンＥが豊富に含まれている。さらにカリウム，シトルリン，リンゴ酸，アルギンニン酸，リコピン，カロチンが含まれ、そのうちリコピンは抗酸化作用があり、体内の活性酸素を消去し、生活習慣病の予防に効果がある。
またアルギニン酸は、疲労回復，皺，シミ，白髪，抜け毛，便秘に良いことが知られている。さらには、リンゴ酸素が体内の活性酸素を制御し、疲労の原因物質を取り除く。またシトルリンは、むくみや血圧を下げる効果があることが知られている。また、スイカの種の乾燥したものは香ばしくコクのあるものとなる。次に、スイカの種やカボチャの種と同様な薬効を有するものとしてひまわりの種がある。これも乾燥したものは香ばしくコクのあるものとなる。
【考案の開示】
【考案が解決しようとする課題】
【０００６】
ひれ酒は、香りよく美味であるが、その薬効は期待できない。また、ひれ酒は焼いたひれが、酒の表面に浮き上がり、それが邪魔して酒を飲みにくくする欠点がある。
また、ナマコは各種薬効が知られているが、料理し難い欠点がある。またナマコをひれ酒のような飲み方をすると、薬効はあっても、その臭みが出て飲みにくいものとなることが本考案者の実験により確かめられた。本考案者はそのナマコと植物の乾燥した種（カボチャの種、スイカの種、ひまわりの種等）とを酒に入れると、その臭みを植物の種が消してしまうことを実験により確認した。本考案は上記の知見によりなされたもので、上記の各種欠点を全て解消することを課題とする。即ち、本考案は、酒毒を中和しつつ酒を美味しく且つ、飲み易くするナマコ酒装置を提案するものである。
【課題を解決するための手段】
【０００７】
請求項１に記載の本考案は、コップ内に着座される基部(1) と、その基部(1) から線材が立ち上げられる支持部(2) とを有し、
その支持部(2) に少なくとも、乾燥したナマコ片(3) および植物の種が支持されて、酒の注がれるコップ(4) に収納されるナマコ酒装置である。
【０００８】
請求項２に記載の本考案は、請求項１において、
前記基部(1) は、金属製線材がのの字状に曲折されてなり、
その基部(1) の中心から前記支持部(2) が一体に立ち上げられ、その支持部(2) の線材がナマコ片(3) の孔(8) および前記種に開けた孔に挿通されて、それらが支持されてなるナマコ酒装置である。
【０００９】
請求項３に記載の本考案は、請求項１または請求項２において、
前記支持部(2) に乾燥したカボチャの種(5) とスイカの種(6) とひまわりの種のうちいずれか、一以上が支持されるナマコ酒装置である。
【考案の効果】
【００１０】
本考案のナマコ酒装置は、基部１がコップ内に着座され、その基部１から立ち上げられた支持部２に乾燥したナマコ片３および植物の種が支持されて、酒がコップ４内に収納されるものであるから、乾燥したナマコ片３の成分および植物の種成分が酒に滲み出し、両者が混じりあって、ナマコの臭みを消しつつ、薬効と香りの良い美味しい酒を楽しむことができる。しかも、基部１がコップ内に着座されるものであるから、ナマコ片および植物の種をコップの酒中に沈めて、それらが浮き上がることなく、飲み易く、見た目の面白い味わい深いものとなる。
【００１１】
上記構成において、金属線材をのの字状に曲折して基部１を形成し、その基部１から一体に立ち上げられる支持部２の線材がナマコ片３の孔８および前記種に開けた孔に挿通されたものは、簡単な構造で、ナマコ片、植物の種を容易に支持できる。そして、植物の種の孔内から内部の成分を抽出し易くする。
【００１２】
上記構成に加えて、さらに支持部２に乾燥したカボチャの種５，スイカの種６，ひまわりの種のうち一種以上を支持させることができる。このようにした場合は、スイカの種６やカボチャの種５等の栄養成分が滲み出し、新たな薬効と香りの良いさらに美味しい酒を楽しむことができる。即ち、ナマコの臭みをカボチャの種５，スイカの種６等によって確実に取り除き、飲み易い美味しい酒となる。
【考案を実施するための最良の形態】
【００１３】
次に、図面に基づいて本考案のナマコ酒装置の実施の形態につき説明する。
図１は本装置の斜視略図であり、図２は同装置をコップ４に収納した状態を示す説明図である。
この装置は、一例として直径０．４〜１ｍｍ程度のステンレス製の針金を略円形に曲折して基部１を形成する。そしてその端部を中心側に折り曲げると共に、さらにその先端側を基部１に対して直角に折り曲げ支持部２を形成する。そしてこの支持部２に、ナマコ片３とカボチャの種５とスイカの種６とを支持させたものである。ナマコ片３は、完全に乾燥した干しナマコを２．５ｍｍ〜２．０ｍｍに切断し、さらにその切断面を５日程天日干ししたものである。
【００１４】
このようなナマコは、乾燥により縮小し真っ黒で固く干しあがる。このとき、その中心部分に孔８が形成される。これは内臓の孔である。そこで、支持部２の先端部をこの孔８に挿通してフック状に折り曲げることにより、それを針金先端に保持できる。さらには、カボチャの種５およびスイカの種６に予め孔を開けておき、そこに針金を通す。カボチャの種５はその長手方向に離間して二つの孔をあけ、その二つの孔を針金で縫うように挿通すればよい。なお、好ましくは、カボチャの種またはスイカの種は二つまたはそれ以上保持する。またスイカの種には一つの孔をあけ、針金を挿通するのみでよい。
このカボチャの種５およびスイカの種６は、夫々塩を混入した９０℃程の熱湯で１分間程度漬け、次いでそれを水洗いして乾燥したものである。その乾燥後のカボチャの種５は緑色をなし、乾燥後のスイカの種６は、こげ茶色をなす。このようにすることにより、カボチャの種５，スイカの種６のぬめりが完全になくなる。
【００１５】
このように真っ黒なナマコ片３と、緑色のカボチャの種５と、こげ茶色のスイカの種６とを支持部２に夫々支持させることにより、あたかも花が咲いたような形になる。
通常燗酒中に、本装置を着座させる。このとき、基部１の外形をコップ４の底部に整合するように変形させる。そして好ましくは、基部１をコップ４の底部内周に圧着させることにより本装置の移動をなくす。次いで熱めの燗酒をコップ４に注ぎ、蓋をして３分間程蒸す。すると、ナマコ片３，カボチャの種５，スイカの種６の三種類の各栄養成分が酒７に滲み出し、香り良く且つ薬効のある美味しいお酒ができる。
【００１６】
酒７は、日本酒に限らず焼酎その他のものを入れてもよい。また、燗酒の代わりに冷や酒をコップ４に入れてもよい。
さらにナマコ片３および種は好ましくは、焦げないように軽く火で炙ったものを使用するとよい。ナマコ片３を火で炙ることにより、酒７内でナマコ片３がふやけたり、外周にケバが生じることを防止できる。さらにはナマコ片３の臭みがなくなる。
なお、スイカの種６およびカボチャの種５には、前記の薬効があることが知られている。
【００１７】
また、上記の例は植物としてスイカの種６およびカボチャの種５を入れたが、それに代えてひまわりの種，その他の種を入れてもよい。
なお、図１の（Ａ）は本装置の使用時の状態を示し、（Ｂ）はその保管時、搬送時の状態を示す。即ち、搬送時等の場合には嵩張らないように支持部２を倒しておけばよい。そして使用の際には、それを起こせばよい。
【００１８】
このようなナマコ片３とカボチャの種５とスイカの種６とを同時に酒７に入れることにより、三者の相乗効果が増し、臭みがなく美味しい酒を楽しむことができる。それと共に、コップ４の内部で全体が花が咲いたような綺麗な状態に保持され、視覚的にも酒を楽しむことができる。
また、なまナマコ片３，カボチャの種５，スイカの種６を同時に酒７中に沈めておき、酒のアルコール成分により、それらの成分を迅速に酒中に流出させることもできる。
【図面の簡単な説明】
【００１９】
【図１】本考案のナマコ酒装置の斜視図であって、その使用状態および保管状態を示す。
【図２】同装置をコップ４に挿入した状態を示す説明図。
【符号の説明】
【００２０】
１  基部
２  支持部
３  ナマコ片
４  コップ
５  カボチャの種
６  スイカの種
７  酒
８  孔                                                                    
【図１】
0003105690.tif 000003
【図２】
0003105690.tif 000004